(57)【特許請求の範囲】
【請求項１】
貫通穴を有する基板に固定され、端子収容室を有したハウジング本体と、前記端子収容室内に収容、保持されて相手端子と接続される端子と、前記ハウジング本体の一側に形成されて前記相手端子を前記ハウジング本体の一側から前記端子収容室内に挿入可能とする挿入開口と、前記ハウジング本体の他側に形成されて前記端子を前記端子収容室内に組み付けるための組付開口とを備え、
前記ハウジング本体を前記基板に固定した状態で前記基板の貫通穴と前記組付開口とが連通して前記相手端子を前記ハウジング本体の他側から前記端子収容室内に挿入可能とし、前記相手端子の前記端子収容室内への挿入が前記ハウジング本体の一側または他側から前記相手端子の仕様に応じて選択的に行われる基板用コネクタであって、
前記ハウジング本体の前記組付開口の周囲に設けられ、前記ハウジング本体の他側から前記相手端子を前記端子収容室内に挿入するときに、前記相手端子を前記端子収容室内に案内する挿入案内部を備え、
前記端子が、一側に形成されて前記端子収容室内に挿入された前記相手端子に接触する接触部と、他側に形成されて前記基板に半田付け固定される半田付け固定部と、前記接触部と前記半田付け固定部とを連結する連結部と、この連結部に設けられ、前記ハウジング本体の他側から前記相手端子を前記端子収容室内に挿入するとき、接触部に相手端子を案内する端子案内部とで形成されていることを特徴とする基板用コネクタ。
【請求項２】
請求項１に記載の基板用コネクタであって、
前記連結部に前記端子に加わった応力を吸収する応力吸収部が設けられていることを特徴とする基板用コネクタ。
【発明の詳細な説明】
【０００１】
【発明の属する技術分野】
本発明は、ハウジング本体の一側または他側から相手端子を端子収容室内に挿入可能な基板用コネクタおよびこの基板用コネクタに用いられる端子に関する。
【０００２】
【従来の技術】
従来の基板用コネクタは、図９〜図１３に示すように、基板１に固定され、複数の端子収容室３を有したハウジング本体５と、複数の端子収容室３内にそれぞれ収容されている端子７と、これらの端子７をハウジング本体５に係止するためのスペーサ部材９とを備えている。ハウジング本体５は、一側に複数の相手端子を複数の各端子収容室３内に挿入可能とする挿入開口１１を有し、他側に複数の端子７を複数の端子収容室３内にそれぞれ組み付けるための組付開口１３を有している。また、ハウジング本体５は、挿入開口１１の開口縁に相手端子の端子収容室３への挿入を案内する案内斜面１４を備えている。
【０００３】
端子７は、一側に形成されてハウジング本体５の端子収容室３内に収容され、相手端子と接続される接触部１５と、他側に形成されてハウジング本体５の組付開口１３から引き出され、基板１に半田付け固定される半田付け固定部１７とを備えている。
【０００４】
スペーサ部材９は、ハウジング本体５の組付開口１３に組み付けられ、複数の端子７の接触部１５に当接してこれらの接触部１５をそれぞれ端子収容室３内に係止する係止部２１と、複数の端子７の半田付け固定部１７をそれぞれハウジング本体５の外側に引き出すための引き出し開口２３とを有している。
【０００５】
このような基板用コネクタ２５では、複数の相手端子と複数の端子７とを接続するとき、ハウジング本体５の挿入開口１１から複数の端子収容室３内にそれぞれ相手端子を挿入する。このとき、複数の相手端子と複数の挿入開口１１との隣接間のピッチがずれている場合は、それぞれ先端が案内斜面１１を摺動して端子収容室３内に案内される。この結果、基板用コネクタ２５は、複数の相手端子がそれぞれ端子収容室３内に確実に挿入されて複数の端子７の接触部１５に接触する。
【０００６】
この場合、基板用コネクタ２５は、相手端子の隣接間のピッチなどに応じた傾斜角度や大きさなどを有した案内斜面１４により相手端子を端子収容室３に案内することで、端子収容室３に対する相手端子の隣接間のピッチのずれなどを吸収している。このため、隣接間のピッチなどが異なる複数仕様の相手端子に基板用コネクタ２５を対応させるときには、相手端子の仕様に応じて案内斜面１４の傾斜角度や大きさなどが異なる複数種類の基板用コネクタ２５を用意しておく必要があった。この結果、基板用コネクタ２５では、コスト高や部品管理が煩雑となっていた。
【０００７】
そこで、図１４、図１５に示すような基板用コネクタ２７が用いられている。基板用コネクタ２７は、貫通穴２９を有する基板３０に固定され、複数の端子収容室３１を有したハウジング本体３３と、複数の端子収容室３１内に収容されている端子３５と、これらの端子３５をハウジング本体３３に係止すると共に、ハウジング本体３３の他側から複数の相手端子５４の各端子収容室３１内への挿入を可能とするスペーサ部材３９とを備えている。ハウジング本体３３は、一側に相手端子３７をハウジング本体３３の一側から複数の各端子収容室３１内に挿入可能とする挿入開口４１を有し、他側に複数の端子３５をそれぞれ端子収容室３１に組み付けるための組付開口４３を有している。
【０００８】
挿入開口４１は、開口縁に相手端子の端子収容室３１への挿入を案内する案内斜面４５が設けられている。また、組付開口４３は、ハウジング本体３３を基板３０に固定した状態で、基板１の貫通穴２９上に配置される。
【０００９】
端子３５は、一側に形成されてハウジング本体３３の端子収容室３１内に収容され、相手端子３７、５４と接続される接触部４７と、他側に形成されてハウジング本体３３の組付開口４３から引き出され、基板３０に半田付け固定される半田付け固定部４９とを備えている。
【００１０】
スペーサ部材３９は、ハウジング本体３３の他側に組み付けられ、ハウジング本体３３の組付開口４３を閉塞し、端子３５の接触部４７に当接して複数の各端子収容室３１内に接触部４７を係止するスペーサ本体５３と、このスペーサ本体５３に設けられ、基板３０の貫通穴２９およびハウジング本体３３の組付開口４３とを連通させてハウジング本体３３の他側から複数の相手端子５４をそれぞれ端子収容室３１内に挿入可能とするスペーサ側の挿入開口５５と、複数の端子３５の半田付け固定部４９をそれぞれハウジング本体３３の外側に引き出すための引き出し開口５７を有している。
【００１１】
また、スペーサ部材３９は、相手端子５４の端子収容室３１内への挿入を案内する案内斜面５９が挿入開口５５の開口縁に設けられている。この案内斜面５９は、傾斜角度および大きさなどがハウジング本体３３側の案内斜面４５の傾斜角度および大きさなどと異なっている。
【００１２】
このような基板用コネクタ２７により端子３５と電気接続箱６０の相手端子３７とを接続するときには、図１５に示すように、基板３０をハウジング本体３３の一側から電気接続箱６０の収容空間に収容する。このとき、基板用コネクタ２７の複数の挿入開口４１を電気接続箱６０の相手端子３７にそれぞれ一致させておくことで、相手端子３７が端子収容室３１内にそれぞれ挿入される。
【００１３】
このとき、複数の相手端子３７と挿入開口４１との隣接間のピッチがずれている場合には、相手端子３７の先端がハウジング本体３３側の案内斜面４５を摺動して端子収容室３１内に案内される。この結果、基板用コネクタ２７は、相手端子３７が端子収容室３１内にハウジング本体３３の一側から確実に挿入され、端子３５の接触部４７と相手端子３７とが接触する。
【００１４】
また、相手端子３７と隣接間のピッチが異なってハウジング本体３３の一側から挿入できない電気接続箱６１の相手端子５４と接続するときには、基板３０をハウジング本体３３の他側から電気接続箱６１の収容空間に収容する。このとき、複数の相手端子５４と基板用コネクタ２７の各挿入開口５５とを一致させておくことで、相手端子５４が端子収容室３１内にそれぞれ挿入される。
【００１５】
このとき、挿入開口５５と相手端子５４との隣接間のピッチがずれている場合には、相手端子５４の先端がスペーサ部材３９側の案内斜面５９を摺動して端子収容室３１内に案内される。この結果、基板用コネクタ２７は、相手端子５４が端子収容室３１内にハウジング本体３３の他側から確実に挿入され、端子３５の接触部４７と相手端子５４とが接触する。
【００１６】
このように、基板用コネクタ２７では、相手端子３７、５４の端子収容室３１内への挿入をハウジング本体３３の一側または他側から選択的に行うことで、隣接間のピッチが異なるなどの相手端子３７、５４の仕様の違いに対応することができる。
【００１７】
【発明が解決しようとする課題】
ところで、上記従来の基板用コネクタ２７では、端子３５を端子収容室３１内に係止するスペーサ部材３９に、相手端子５４をハウジング本体３３の他側から端子収容室３１内に挿入可能とする挿入開口５５を設け、この挿入開口５５に形成された案内斜面５９により相手端子５４の端子収容室３１内への挿入の案内を行っている。このため、基板用コネクタ２７は、スペーサ部材３９の分だけ構成部品の部品点数が多くなっており、コスト高になると共に組付作業が煩雑になっていた。
【００１８】
そこで、本発明は、ハウジング本体の一側および他側から相手端子の端子収容室内への挿入を案内すると共に、部品点数を低減することができる基板用コネクタの提供を目的とする。
【００１９】
【課題を解決するための手段】
上記目的を達成するため、請求項１記載の発明は、貫通穴を有する基板に固定され、端子収容室を有したハウジング本体と、前記端子収容室内に収容、保持されて相手端子と接続される端子と、前記ハウジング本体の一側に形成されて前記相手端子を前記ハウジング本体の一側から前記端子収容室内に挿入可能とする挿入開口と、前記ハウジング本体の他側に形成されて前記端子を前記端子収容室内に組み付けるための組付開口とを備え、前記ハウジング本体を前記基板に固定した状態で前記基板の貫通穴と前記組付開口とが連通して前記相手端子を前記ハウジング本体の他側から前記端子収容室内に挿入可能とし、前記相手端子の前記端子収容室内への挿入が前記ハウジング本体の一側または他側から前記相手端子の仕様に応じて選択的に行われる基板用コネクタであって、前記ハウジング本体の前記組付開口の周囲に設けられ、前記ハウジング本体の他側から前記相手端子を前記端子収容室内に挿入するときに、前記相手端子を前記端子収容室内に案内する挿入案内部を備え、前記端子が、一側に形成されて前記端子収容室内に挿入された前記相手端子に接触する接触部と、他側に形成されて前記基板に半田付け固定される半田付け固定部と、前記接触部と前記半田付け固定部とを連結する連結部と、この連結部に設けられ、前記ハウジング本体の他側から前記相手端子を前記端子収容室内に挿入するとき、接触部に相手端子を案内する端子案内部とで形成されていることを特徴とする。
【００２０】
このように構成された請求項１記載の発明は、組付開口が基板の貫通穴に連通してハウジング本体の他側から端子収容室内に相手端子を挿入可能とし、相手端子の端子収容室内への挿入をハウジング本体の一側または他側から相手端子の仕様に応じて選択的に行うことができる。
【００２１】
また、請求項１記載の発明は、端子が端子収容室内に収容、保持されていると共に、ハウジング本体の他側から複数の相手端子を端子収容室内に挿入するときに組付開口の周囲に形成された挿入案内部により複数の相手端子をそれぞれ端子収容室内に案内することができる。
【００２３】
また、請求項１記載の発明は、ハウジング本体の他側から相手端子を端子収容室内に挿入するとき、端子の連結部に形成された端子案内部により、端子収容室内に挿入された相手端子を接触部に確実に案内することができる。
【００２４】
請求項２記載の発明は、請求項１に記載の基板用コネクタであって、前記連結部に前記端子に加わった応力を吸収する応力吸収部が設けられていることを特徴とする。
【００２５】
このように構成された請求項２記載の発明は、端子に加わった力を吸収する応力吸収部を備えているため、半田付け固定部にクラックなどが生じることを防止できる。
【００２６】
また、請求項２記載の発明では、相手端子が自身の弾性により撓んだ状態で端子収容室内に挿入されている場合でも、接触部が応力吸収部の弾性により相手端子に応じて変位するため、相手端子と端子とをより確実に接続することができる。
【００２７】
【発明の実施の形態】
以下、本発明にかかる基板用コネクタの実施形態について説明する。図１（ａ）、（ｂ）は、本発明にかかる基板用コネクタの第１実施形態を示す断面図である。図２（ａ）、（ｂ）は、図１（ａ）、（ｂ）に示すハウジング本体の斜視図である。図３（ａ）、（ｂ）は、図１（ａ）、（ｂ）に示すハウジング本体の平面図および側面図である。
【００２８】
基板用コネクタ６３は、図１、図７に示すように、貫通穴２９を有する基板３０に固定され、複数の端子収容室６５を有したハウジング本体６７と、複数の各端子収容室６５内に収容されて相手端子とそれぞれ接続される複数の端子６９とで形成されている。また、基板用コネクタ６３は、図１に示すように、ハウジング本体６７の一側に形成されて相手端子をハウジング本体６７の一側から複数の端子収容室６５内に挿入可能とする挿入開口７１と、端子６９を端子収容室６５内に組み付けるためにハウジング本体６７の他側に形成され、相手端子をハウジング本体６７の他側から端子収容室６５内に挿入可能とする組付開口７３と、ハウジング本体６７の組付開口７３の周囲に設けられ、ハウジング本体６７の他側から相手端子を端子収容室６５内に挿入するときに、相手端子を端子収容室６５内に案内する挿入案内部７５とを備えている。
【００２９】
ハウジング本体６７は、図２および図３に示すように、矩形断面の開口を有した筒状壁部７７と、この筒状壁部７７の一方の開口を閉塞している閉塞壁部７９とを備えている。筒状壁部７７は、相互に対向配置されており、略同一形状に形成された矩形板状の一側壁８１および他側壁８３と、これらの一側壁８１と他側壁８３とを長手方向の両側で連結する連結壁８５、８５とで形成されている。一側壁８１は、長手方向に沿って当接壁８７が設けられている。
【００３０】
当接壁８７は、図１に示すように、矩形板状に形成され、ハウジング本体６７の他側から外側に向けて一側壁８１を延設した状態となっている。この当接壁８７は、ハウジング本体６７の基板３０への固定状態で、先端が基板３０の貫通穴２９の開口縁に当接すると共に、内面８９が基板３０の貫通穴２９上に配置される。そして、当接壁８７は、先端と内面８９との間に斜面９１を有している。
【００３１】
斜面９１は、当接壁８７の長手方向に沿って設けられ、当接壁８７の内面８９から先端にかけて次第に当接壁８７の断面幅方向の寸法を小さくするように形成されている。この斜面９１は、ハウジング本体６７が基板３０に固定された状態で、基板３０の貫通穴２９上に配置される。
【００３２】
上述した一側壁８１に対向配置されている他側壁８３は、ハウジング本体６７が基板３０に固定された状態で、ハウジング本体６７の他側に形成されている突出部９３の端面９５と基板３０の表面９７との間に後述する端子６９の応力吸収部１５３を収容するための収容空間Ｓを形成している。
【００３３】
一側壁８１と他側壁８３とを連結している連結壁８５、８５は、図２に示すように、それぞれ矩形板状に形成され、幅方向の両側が一側壁８１および他側壁８３の長手方向の側縁に一体成形されている。これらの連結壁８５、８５は、図１に示すように、ハウジング本体６７の他側に配置されている先端に斜面９９、９９を有している。
【００３４】
斜面９９は、連結壁８５の幅方向に沿って形成され、連結壁８５の内側面１０１から先端にかけて次第に連結壁８５の断面幅方向の寸法を小さくするようになっている。
【００３５】
また、連結壁８５、８５には、図１〜図３に示すように、それぞれハウジング本体６７を基板３０に固定するための固定部１０３、１０３が設けられている。固定部１０３は、ハウジング本体６７の他側の連結壁８５の外側面に一体成形されており、連結壁８５の外側面からハウジング本体６７の長手方向に突出していると共に、連結壁８５のハウジング本体６７の他側の先端に対して外側に向けて突出している。この固定部１０３は、ハウジング本体６７の他側に形成されている端面１０７が平面状となっていると共に、当接壁８７の先端と略面一となっている。そして、固定部１０３は、図１に示すように、ハウジング本体６７を基板３０に固定するときに、端面１０７を基板３０の表面９７に当接させて基板３０の裏面１０９から締結用穴１１１にボルト１１３が締結される。
【００３６】
上述した閉塞壁部７９は、矩形板状で幅方向の両側が一側壁８１と他側壁８３のハウジング本体６７の一側に一体成形されていると共に、長手方向の両側が連結壁部８５、８５のハウジング本体６７の一側にそれぞれ一体成形されている。この閉塞壁部７９には、後述する複数の挿入開口７１が設けられている。
【００３７】
このようなハウジング本体６７の内部には、図１に示すように、複数の端子収容室６５が形成されている。複数の端子収容室６５は、それぞれ筒状となっており、ハウジング本体６７の長手方向に沿って所定のピッチを有して形成されている。これらの端子収容室６５は、連結壁８５、８５の内側面１０１、１０１間に配置されて隣接間がそれぞれ区画壁１１７により区画されている。
【００３８】
区画壁１１７は、矩形板状となっており、長手方向の一側が閉塞壁部７９の内面に一体成形され、他側がハウジング本体６７の他方の開口面上に配置されている。また、区画壁１１７は、幅方向の両側がハウジング本体６７の一側壁８１および他側壁８３の内側面にそれぞれ一体成形されている。この区画壁１１７の長手方向の他側には、斜面１２３、１２３が設けられている。
【００３９】
斜面１２３、１２３は、区画壁１１７の幅方向に沿ってそれぞれ設けられている。これらの斜面１２３、１２３は、区画壁１１７の両側面１２５、１２５から先端に向けて次第に区画壁１１７の断面幅方向の寸法を小さくするように相互に近づいて形成されている。
【００４０】
また、端子収容室６５は、後述する端子６９を内部に保持するための係止片１２７を備えている。係止片１２７は、弾性を有した片持ちの棒状に形成され、長手方向の一側がハウジング本体６７の他側壁８３に形成された突出部９３に一体成形されて他側が一側に対してハウジング本体６７の一側に配置されている。この係止片１２７は、ハウジング本体６７の一側壁８１と他側壁８３との間で基端を支点に先端が変位可能となっている。また、係止片１２７の先端には、一側壁８１側に膨出した膨出部１２９を有している。この膨出部１２９は、後述する端子６９が端子収容室６５に収容された状態で、端子６９の係合穴１５７に係合して端子６９を端子収容室６５内に保持する。
【００４１】
上述したようにハウジング本体６７は、一側に形成された相手端子を端子収容室６５内に挿入可能とする挿入開口７１を有している。挿入開口７１は、穴状に形成され、閉塞壁部７９の端子収容室６５に対応した位置にそれぞれ設けられている。この挿入開口７１は、閉塞壁部７９を内面から外面にかけて貫通して形成されてハウジング本体６７の外側と端子収容室６５とを連通している。また、挿入開口７１は、端子収容室６５の断面形状よりも小さく形成されていると共に、相手端子の断面形状と略同一か若干大きい形状に形成されており、相手端子を端子収容室６５内に挿入可能としている。そして、挿入開口７１は、相手端子を端子収容室６５内に挿入するときに、相手端子の端子収容室６５内への挿入を案内する案内斜面１３１を備えている。
【００４２】
案内斜面１３１は、挿入開口７１の閉塞壁部７９の外面上の開口縁に設けられ、閉塞壁部７９の内面側から外面側にかけて次第に大径となっている。この案内斜面１３１は、相手端子を挿入開口７１から端子収容室６５内に挿入するときに、相手端子に摺動する。このように一側に挿入開口７１が形成されているハウジング本体６７の他側には、後述する端子６９を端子収容室６５内に組み付けるための組付開口７３が形成されている。
【００４３】
組付開口７３は、ハウジング本体６７の他方の開口が、区画壁１１７の先端により区画されて形成されている。この組付開口７３は、後述する端子６９の接触部１３３の断面形状と略同一か若干大きい形状に形成されている。また、組付開口７３は、ハウジング本体６７が基板３０に固定された状態で、基板３０の貫通穴２９と連通して相手端子をハウジング本体６７の他側から端子収容室６５内に挿入可能とする。この組付開口７３の周囲には、ハウジング本体６７の他側からの相手端子の端子収容室６５内への挿入を案内する挿入案内部７５が形成されている。
【００４４】
挿入案内部７５は、連結壁８５、８５に形成された斜面９９、９９と、区画壁１１７に形成された斜面１２３、１２３と、当接壁８７に設けられた斜面９１とで形成されている。
【００４５】
この挿入案内部７５は、ハウジング本体６７の長手方向の両側に配置された端子収容室６５において、当接壁８７の斜面９１により挿入されている相手端子のハウジング本体６７の幅方向での案内を行い、連結壁８５の斜面９９と端子収容室６５を挟んで連結壁８５に対向している区画壁１１７の斜面１２３とにより挿入されている相手端子のハウジング本体６７の長手方向での案内を行う。また、挿入案内部７５は、区画壁１１７、１１７間に配置されている端子収容室６５において、当接壁８７の斜面９１により挿入されている相手端子６９のハウジング本体６７の幅方向での案内を行い、端子収容室６５を挟んで相互に対向している区画壁１１７の斜面１２３、１２３により挿入されている相手端子のハウジング本体６７の長手方向での案内を行う。
【００４６】
このようなハウジング本体６７に組み付けられている端子６９は、図４に示すように、一側に形成されて端子収容室６５内に挿入された相手端子に接触する接触部１３３と、他側に形成されて基板３０に半田付け固定される半田付け固定部１３５と、接触部１３３と半田付け固定部１３５とを連結する連結部１３７と、この連結部１３７に設けられ、ハウジング本体６７の他側から相手端子を端子収容室６５内に挿入するとき、接触部１３３に相手端子を案内する端子案内部１３９とで形成されている。接触部１３３は、図５に示すように、端子収容室６５内に収容されており、筒状の接触部本体１４１と、この接触部本体１４１の内部に形成されている弾性接触片１４２とを備えている。
【００４７】
接触部本体１４１は、長尺中空状に形成され、長手方向の両側に形成された開口から相手端子を内部に挿入可能となっている。この接触部本体１４１は、相互に対向配置されている矩形板状の側壁１４３、１４４と、この側壁１４３、１４４に交差して配置され、側壁１４３、１４４と略同一形状の交差壁１４５、１４６とで形成されている。そして、接触部本体１４１は、端子収容室６５内に端子６９が収容された状態でハウジング本体６７の一側壁８１側に配置される一方の側壁１４３に斜面１４７が設けられている。
【００４８】
斜面１４７は、側壁１４３の端子６９の他側に形成されている先端に設けられ、側壁１４３の幅方向に沿って形成されている。この斜面１４７は、側壁１４３の内面から先端にかけて次第に断面幅方向の寸法を小さくしており、先端でハウジング本体６７の一側壁８１の内側面に接している。
【００４９】
上述した接触部本体１４１は、内部に挿入された相手端子を側壁１４３と共に挟持する弾性接触片１４２を収容している。弾性接触片１４２は、板状体からなり、接触部本体１４１に湾曲部を介して連結されて弾性を有している。この弾性接触片１４２は、中間部を支点に折り曲げられており、接触部本体１４１の開口から内部に挿入された相手端子に中間部が弾性的に接触する。
【００５０】
このような接触部１３３を有している端子６９の他側には、基板３０に半田付け固定される半田付け固定部１３５が設けられている。半田付け固定部１３５は、矩形板状体からなり、スルーホールを挿通して基板３０の裏面１０９側で半田付け固定される。
【００５１】
上述したように、端子６９は、接触部１３３と半田付け固定部１３５とを連結する連結部１３７を備えている。連結部１３７は、接触部１３３から延設された延設壁１４９と、この延設壁１４９と半田付け固定部１３５とを接続する接続壁１５１と、この接続壁１５１と半田付け固定部１３５との間に形成された応力吸収部１５３とを備えている。
【００５２】
延設壁１４９は、矩形板状となっており、接触部本体１４１の一方の交差壁１４５を端子６９の他側に向けて延設されている。この延設壁１４９は、端子６９が端子収容室６５内に収容された状態で、先端が組付開口７３の開口縁に配置される。また、延設壁１４９は、自身の弾性により端子収容室６５内での接触部１３３の変位を許容している。そして、延設壁１４９は、端子６９の他側に形成されている先端に斜面１５５を有している。
【００５３】
斜面１５５は、延設壁１４９の幅方向に沿って設けられ、延設壁１４９の内面から先端にかけて次第に延設壁１４９の断面幅方向の寸法を小さくするように形成されている。この斜面１５５は、図１に示すように、端子６９が端子収容室６５内に収容された状態で、先端が区画壁１１７の側面１２５または連結壁８５の内側面１０１に接して区画壁１１７または連結壁８５の斜面１２３、９９と略面一となる。このような延設壁１４９は、接続壁１５１を介して半田付け固定部１３５と接続されている。
【００５４】
接続壁１５１は、矩形板状に形成され、延設壁１４９の長手方向に沿って一体成形されると共に、他方の交差壁１４６側に向けて延設壁１４９に交差して突出している。この接続壁１５１は、延設壁１４９の先端から中間部までの長さとなっており、端子６９の一側縁と接触部１３３の他方の側壁１４４との間に、端子収容室６５の係止片１２７が係合する係合穴１５７を形成している。また、接続壁１５１は、端子６９の一側縁に斜壁１５９が設けられており、端子６９の他側縁に後述する応力吸収部１５３が設けられている。
【００５５】
斜壁１５９は、矩形板状となっており、長手方向の一側が接続壁１５１の端子６９の一側縁に一体成形された基端となっており、他側が一側に対して端子６９の一側に配置された先端となっている。この斜壁１５９は、先端が接触部１３３の一方の側壁１４３に設けられた斜面１４７に向けて形成され、ハウジング本体６７の他側から一側にかけて次第に接触部１３３の一方の側壁１４３側に傾斜している。
【００５６】
また、接続壁１５１は、延設壁１４９に対向配置された対向壁１６１を有している。対向壁１６１は、矩形板状となっており、接続壁１５１の長手方向に沿って一体成形されると共に、一方の側壁１４３側に向けて接続壁１５１に交差して突出している。この対向壁１６１は、端子６９の他側に形成されている先端に斜面１６３が設けられている。
【００５７】
斜面１６３は、対向壁１６１の内面から先端にかけて次第に対向壁１６１の幅方向の寸法を小さくするように形成されている。この斜面１６３は、図１に示すように、端子６９が端子収容室６５内に収容された状態で、先端が区画壁１１７の側面１２５または連結壁８５の内側面１０１に接して区画壁１１７または連結壁８５の斜面１２３、９９と略面一となる。
【００５８】
上述した応力吸収部１５３は、端子６９の接続壁１５１と半田付け固定部１３５との間を折り曲げて形成され、弾性を有している。この応力吸収部１５３は、接続壁１５１側から半田付け固定部１３５側に向けて端子６９の他側に傾斜した傾斜部１６５を有している。そして、応力吸収部１５３は、図１に示すように、端子６９が端子収容室６５内に収容された状態で、ハウジング本体６７と基板３０との間に形成される収容空間Ｓに収容される。また、応力吸収部１５３は、自身の弾性により端子収容室６５内での接触部１３３の変位を許容している。
【００５９】
このように形成された連結部１３７には、ハウジング本体６７の他側から相手端子を端子収容室６５内に挿入するときに、図５に示すように、接触部１３３に相手端子を案内する端子案内部１３９が設けられている。端子案内部１３９は、延設壁１４９に形成された斜面１５５と、対向壁１６１に設けられた斜面１６３と、応力吸収部１５３に設けられた傾斜部１６５と、斜壁１５９の内面１６７と、接触部本体１４１の斜面１４７とからなる。
【００６０】
端子案内部１３９は、応力吸収部１５３の傾斜部１６５および斜壁１５９の内面１６７と接触部本体１４１の斜面１４７とにより挿入されている相手端子のハウジング本体６７の幅方向での案内を行い、延設壁１４９に形成された斜面１５５と対向壁１６１に設けられた斜面１６３とにより挿入されている相手端子のハウジング本体６７の長手方向での案内を行う。なお、基板用コネクタ６３では、端子６９の他に、図６に示すように、端子６９よりも幅方向に大きく形成された端子７０が用いられている。この端子７０は、端子６９と同一構成となっている。
【００６１】
このように構成された基板用コネクタ６３では、電気接続箱などの複数の相手端子と複数の端子６９、７０とをそれぞれ接続するとき、隣接間のピッチが異なるなど複数の相手端子の仕様に応じてハウジング本体６７の一側または他側から相手端子を端子収容室６５内に選択的に挿入する。
【００６２】
ハウジング本体６７の一側から相手端子を端子収容室６５内に挿入するときには、まず、複数の相手端子とハウジング本体６７の複数の挿入開口７１とをそれぞれ一致させ、その後、基板３０を表面９７側から相手端子側に移動させることで行われる。
【００６３】
このとき、複数の相手端子と複数の挿入開口７１との隣接間のピッチがずれている場合には、基板３０を相手端子側に移動させると、複数の相手端子の先端がそれぞれ複数の各挿入開口７１の案内斜面１３１に当接する。この状態で、基板３０をさらに相手端子側に移動させると、複数の相手端子の各先端がそれぞれ案内斜面１３１を摺動して挿入開口７１に案内される。この結果、複数の相手端子は、それぞれ挿入開口７１から端子収容室６５内に挿入されて端子６９、７０の接触部１３３に接触し、複数の端子６９、７０と導通する。
【００６４】
この状態では、複数の相手端子がそれぞれ自身の弾性により撓んだ状態で端子収容室６５内に挿入されており、これらの撓んでいる相手端子に応じて接触部１３３が延設壁１４９および応力吸収部１５３の弾性により端子収容室６５内で変位している。このため、接触部１３３と相手端子とが確実に接続されている。
【００６５】
この結果、複数の相手端子と複数の挿入開口７１との隣接間のピッチがずれている場合でも、そのピッチのずれなどを吸収して確実に複数の相手端子をそれぞれハウジング本体６７の一側から端子収容室６５内に挿入し、複数の端子６９、７０と複数の相手端子とをそれぞれ確実に接続することができる。
【００６６】
また、ハウジング本体６７の一側から端子収容室６５に挿入できない隣接間のピッチなどを有した複数の相手端子１６８を各端子収容室６５内に挿入するときは、図８に示すように、ハウジング本体６７の他側から行われる。
【００６７】
ハウジング本体６７の他側から複数の相手端子１６８をそれぞれ端子収容室６５内に挿入するときには、まず、複数の相手端子１６８とハウジング本体６７の組付開口７３とをそれぞれ一致させ、その後、基板３０を裏面１０９側から相手端子１６８側に移動させることで行われる。この場合、複数の相手端子１６８は、それぞれ挿入案内部７５および端子挿入部１３９により端子収容部６５内に案内される。
【００６８】
基板３０を相手端子側に移動させると、複数の相手端子が基板３０の貫通穴２９からそれぞれハウジング本体６７の他側と貫通穴２９の基板３０の表面９７側の開口面との間に挿入される。このとき、複数の相手端子１６８は、先端が当接壁８７の斜面９１または応力吸収部１５３の傾斜部１６５を摺動することで、ハウジング本体６７の幅方向で端子収容室６５側に案内される。
【００６９】
この状態で、基板３０を相手端子１６８側に移動させると、複数の相手端子１６８がそれぞれ端子収容室６５内に挿入される。このとき、ハウジング本体６７の長手方向の両側に配置された相手端子１６８は、先端がそれぞれ連結壁８５の斜面９９または端子収容室６５を挟んで連結壁８５に対向している区画壁１１７の斜面１２３を摺動することで、ハウジング本体６７の長手方向で端子収容室６５側に案内される。さらに、これらの相手端子１６８は、連結壁８５の斜面９９または区画壁１１７の斜面１２３と略面一となっている端子６９、７０（不図示）の延設壁１４９の斜面１５５または対向壁１６１の斜面１６３を先端が摺動する。このため、ハウジング本体６７の長手方向の両側の相手端子１６８は、端子収容室６５側に案内されて組付開口７３から端子収容室６５の内部に挿入された状態となる。
【００７０】
また、ハウジング本体６７の両側間に配置されている複数の相手端子１６８は、先端がそれぞれ端子収容室６５を挟んで相互に対向している区画壁１１７、１１７の斜面１２３、１２３を摺動することで、ハウジング本体６７の長手方向で端子収容室６５側に案内される。さらに、複数の相手端子１６８は、それぞれ対向した区画壁１１７、１１７の斜面１２３、１２３と略面一となっている端子６９、７０の延設壁１４９の斜面１５５または対向壁１６１の斜面１６３を先端が摺動する。このため、複数の相手端子１６８は、先端が端子収容室６５側に案内されて組付開口７３から端子収容室６５の内部に挿入された状態となる。
【００７１】
この状態では、複数の相手端子１６８がそれぞれ端子６９、７０の延設壁１４９と対向壁１６１との間に配置され、ハウジング本体６７の長手方向が位置決められている。
【００７２】
そこで、基板３０を相手端子１６８側に移動させると、複数の相手端子１６８がそれぞれ端子収容室６５内に完全に挿入される。このとき、複数の相手端子１６８は、端子６９、７０の斜壁１５９の内面１６７または側壁１４３の斜面１４７の少なくとも一方をそれぞれ先端が摺動することで、接触部１３３の内部に相手端子が案内される。
【００７３】
この結果、複数の相手端子１６８は、それぞれ組付開口７３から端子収容室６５内に完全に挿入されて端子６９、７０の接触部１３３に接触し、複数の端子６９、７０と導通する。この状態では、複数の相手端子１６８がそれぞれ自身の弾性により撓んだ状態で端子収容室６５内に挿入されており、これらの撓んでいる相手端子１６８に応じて接触部１３３が延設壁１４９および応力吸収部１５３の弾性により端子収容室６５内で変位している。
【００７４】
この結果、ハウジング本体６７の一側から端子収容室６５内に挿入できない隣接間のピッチを有した複数の相手端子１６８でも、ハウジング本体６７の他側から確実に端子収容室６５内に挿入し、複数の端子６９、７０と複数の相手端子１６８とをそれぞれ確実に接続することができる。
【００７５】
上記本実施形態の基板用コネクタ６３では、組付開口７３の全体が基板３０の貫通穴２９に連通し、組付開口７３自体がハウジング本体６７の他側から端子収容室６５内に相手端子を挿入可能とする挿入開口として機能するため、複数の相手端子の端子収容室６５内への挿入をハウジング本体６７の一側または他側から選択的に行うことができ、隣接間のピッチが異なるなどの複数仕様の相手端子に容易に対応することができる。
【００７６】
また、基板用コネクタ６３では、端子６９、７０が端子収容室６５内に収容、保持されていると共に、ハウジング本体６７の他側から複数の相手端子を端子収容室６５内に挿入するときに組付開口７３の周囲に形成された挿入案内部７５により複数の相手端子をそれぞれ端子収容室６５内に案内することができる。このため、基板用コネクタ６３では、従来の基板用コネクタのスペーサ部材に相当する部分を省略して部品点数を低減することができ、コストを低減することができると共に、組付作業を容易にして組付作業性を向上することができる。
【００７７】
上記本実施形態の基板用コネクタ６３では、ハウジング本体６７の他側から複数の相手端子を端子収容室６５内に挿入するとき、端子６９、７０の連結部１３７に形成された端子案内部１３９により、複数の相手端子をそれぞれ端子収容室６５内に案内して確実に挿入することができ、端子収容室６５内に挿入された相手端子を端子６９、７０の接触部１３３に確実に案内することができる。このため、基板用コネクタ６３では、複数の端子６９、７０と複数の相手端子との接続を確実に行うことができる。
【００７８】
また、基板用コネクタ６３では、端子６９、７０に加わった力を吸収する応力吸収部１５３を備えているため、端子６９、７０やハウジング本体６７の熱膨張による力、および相手端子の端子収容室６５内への挿入時に端子６９、７０に加わる力などを吸収し、半田付け固定部１３５にクラックなどが生じることを防止できる。
【００７９】
さらに、基板用コネクタ６３では、複数の相手端子がそれぞれ自身の弾性により撓んだ状態で端子収容室６５内に挿入されている場合でも、接触部１３３が延接壁１４９および応力吸収部１５３の弾性により相手端子に応じて変位するため、相手端子と端子６９、７０とを確実に接続することができ、ピッチが異なるなどの相手端子の仕様の違いに、より確実に対応することができる。
【００８０】
なお、上記実施形態では、挿入案内部７５および端子案内部１３９がハウジング本体６７の長手方向および幅方向で相手端子を端子収容室６５および接触部１３３に案内していたが、長手方向または幅方向の何れか一方のみでも良い。
【００８１】
また、端子６９、７０の連結部１３７が応力吸収部１５３を有していたが、応力吸収部１５３を省略しても良い。この場合は、ハウジング本体６７の当接壁８７を省略でき、応力吸収部１５３を収容する収容空間Ｓも省略して良い。
【００８２】
【発明の効果】
以上説明したように請求項１記載の発明は、組付開口が基板の貫通穴に連通してハウジング本体の他側から端子収容室内に相手端子を挿入可能とし、相手端子の端子収容室内への挿入をハウジング本体の一側または他側から相手端子の仕様に応じて選択的に行うことができ、複数仕様の相手端子に容易に対応することができる。
【００８３】
また、請求項１記載の発明は、端子が端子収容室内に収容、保持されていると共に、ハウジング本体の他側から複数の相手端子を端子収容室内に挿入するときに組付開口の周囲に形成された挿入案内部により複数の相手端子をそれぞれ端子収容室内に案内することができる。このため、基板用コネクタでは、従来の基板用コネクタのスペーサ部材に相当する部分を省略して部品点数を低減することができ、コストを低減することができると共に、組付作業を容易にして組付作業性を向上することができる。
【００８４】
また、請求項１記載の発明は、ハウジング本体の他側から相手端子を端子収容室内に挿入するとき、端子の連結部に形成された端子案内部により、端子収容室内に挿入された相手端子を接触部に確実に案内することができる。このため、基板用コネクタでは、複数の端子と複数の相手端子との接続を確実に行うことができる。
【００８５】
請求項２記載の発明は、端子に加わった力を吸収する応力吸収部を備えているため、半田付け固定部にクラックなどが生じることを防止できる。
【００８６】
また、請求項２記載の発明では、相手端子が自身の弾性により撓んだ状態で端子収容室内に挿入されている場合でも、接触部が応力吸収部の弾性により相手端子に応じて変位するため、相手端子と端子とをより確実に接続することができ、複数仕様の相手端子に、より確実に対応することができる。
【図面の簡単な説明】
【図１】  図１（ａ）は、本発明にかかる基板用コネクタの第１実施形態を長手方向に沿って切った状態を示す断面図であり、図１（ｂ）は、本発明にかかる基板用コネクタの第１実施形態を幅方向の切った状態を示す断面図である。
【図２】  図２（ａ）は、図１（ａ）、（ｂ）に示すハウジング本体の斜視図であり、図２（ｂ）は、図２（ａ）に示すハウジング本体の矢印Ａ方向からの斜視図である。
【図３】  図３（ａ）は、図１（ａ）、（ｂ）に示すハウジング本体の平面図であり、図３（ｂ）は、図３（ａ）に示すハウジング本体の側面図である。
【図４】  図４は、図１（ａ）、（ｂ）に示す端子の斜視図である。
【図５】  図５（ａ）は、図４に示す端子の側面図であり、図５（ｂ）は、図５（ａ）に示す端子の平面図であり、図５（ｃ）は、図５（a）に示す端子の断面図である。
【図６】  図６（ａ）は、図１に示す基板用コネクタに用いられている他の端子を示す側面図であり、図６（ｂ）は、図６（ａ）に示す端子の平面図であり、図６（ｃ）は、図６（ａ）に示す端子の断面図である。
【図７】  図７（ａ）は、図１に示す基板用コネクタの側面図であり、図７（ｂ）は、図７（ａ）に示す基板用コネクタの平面図である。
【図８】  図８（ａ）は、図１（ａ）に示す基板用コネクタに相手端子を挿入するときの断面図であり、図８（ｂ）は、図１（ｂ）に示す基板用コネクタに相手端子を挿入するときの断面図である。
【図９】  図９（ａ）は、従来の基板用コネクタを示す側面図であり、図９（ｂ）は、図９（ａ）に示す従来の基板用コネクタの平面図である。
【図１０】  図１０は、図９（ａ）、（ｂ）に示す従来の基板用コネクタの断面図である。
【図１１】  図１１（ａ）は、図９（ａ）、（ｂ）に示すハウジング本体の側面図であり、図１１（ｂ）は、図１１（ａ）に示すハウジング本体の平面図である。
【図１２】  図１２（ａ）は、図９（ａ）、（ｂ）に示すスペーサ部材の側面図であり、図１２（ｂ）は、図１２（ａ）に示すスペーサ部材の平面図である。
【図１３】  図１３（ａ）は、図１０に示す端子の側面図であり、図１３（ｂ）は、図１３（ａ）に示す端子の平面図であり、図１３（ｃ）は、図１３（ａ）に示す端子の断面図である。
【図１４】  図１４は、従来の他の基板用コネクタを示す断面図である。
【図１５】  図１５は、図１４に示す従来の基板用コネクタを電気接続箱の相手端子に接続するときの斜視図である。
【符号の説明】
２９  貫通穴
３０  基板
６３  基板用コネクタ
６５  端子収容室
６７  ハウジング本体
６９、７０  端子
７１  挿入開口
７３  組付開口
７５  挿入案内部
１３３  接触部
１３５  半田付け固定部
１３７  連結部
１３９  端子案内部
１５３  応力吸収部
【図１】
0003909213.tif 000002
【図２】
0003909213.tif 000003
【図３】
0003909213.tif 000004
【図４】
0003909213.tif 000005
【図５】
0003909213.tif 000006
【図６】
0003909213.tif 000007
【図７】
0003909213.tif 000008
【図８】
0003909213.tif 000009
【図９】
0003909213.tif 000010
【図１０】
0003909213.tif 000011
【図１１】
0003909213.tif 000012
【図１２】
0003909213.tif 000013
【図１３】
0003909213.tif 000014
【図１４】
0003909213.tif 000015
【図１５】
0003909213.tif 000016